(57)【要約】      （修正有）【課題】白色ＬＥＤを光源とする装置に用いられる、白色光の演色性を高めつつ、色温度の変化を抑制するための色補正フィルタを提供する。【解決手段】白色ＬＥＤを光源とする装置に用いられる色補正フィルタであって、下記一般式（１）で示される構造の第１の色材を少なくとも１種と、４２０〜４８０ｎｍの波長域に吸収極大を有する第２の色材を少なくとも１種とを含む。2014130250.tif 000061【選択図】図１
2014130250.tif 000002
【特許請求の範囲】
【請求項１】
白色ＬＥＤを光源とする装置に用いられる色補正フィルタであって、
下記一般式（１）で示される構造の第１の色材を少なくとも１種と、
４２０〜４８０ｎｍの波長域に吸収極大を有する第２の色材を少なくとも１種とを含むことを特徴とする色補正フィルタ。
【化１】
2014130250.tif 000055
（式（１）中、Ｚ１とＺ２、Ｚ３とＺ４、Ｚ５とＺ６及びＺ７とＺ８は、それぞれ独立して、直鎖、分岐若しくは環状のアルキル基、直鎖、分岐若しくは環状のアルコキシ基、置換若しくは無置換のアリール基、置換若しくは無置換のヘテロアリール基、又は、水素原子であり、前記アルキル基及び前記アルコキシ基の水素原子の一部又は全部はハロゲンで置換されていてもよく、Ｚ１とＺ２、Ｚ３とＺ４、Ｚ５とＺ６及びＺ７とＺ８の２つの置換基はそれぞれ互いに異なる。Ｍは２個の水素原子、２価の金属原子、３価若しくは４価の置換金属原子、又は、オキシ金属である。）
【請求項２】
前記第２の色材は、下記一般式（２）で示される構造を有する請求項１に記載の色補正フィルタ。
【化２】
2014130250.tif 000056
（式（２）中、Ｒ１とＲ２は、それぞれ独立して、直鎖、分岐若しくは環状のアルキル基、又は、水素原子であり、Ｘは電子供与性原子団を表し、Ｙは電子求引性原子団を表し、ｎは０〜５の整数である。）
【請求項３】
前記第２の色材は、下記一般式（３）又は（４）で示される構造を有する請求項２に記載の色補正フィルタ。
【化３】
2014130250.tif 000057
（式（３）中、Ａ１は、隣接する窒素原子と共に環構造を形成することのできる置換基であり、Ａ２は、直鎖、分岐若しくは環状のアルキル基、置換若しくは無置換のアリール基、置換若しくは無置換のアラルキル基、置換若しくは無置換のヘテロアリール基、又は、水素原子である。）
【化４】
2014130250.tif 000058
（式（４）中、Ｒ３とＲ４は、それぞれ独立して、直鎖、分岐若しくは環状のアルキル基であり、Ｒ３とＲ４とで環構造を形成してもよく、Ｒ３とＲ４は、Ｒ３とＲ４が結合している窒素原子及びこの窒素原子が結合しているベンゼン環と共にジュロリジン構造を形成してもよい。Ｒ５は、水素原子、直鎖、分岐若しくは環状のアルキル基、直鎖、分岐若しくは環状のアルコキシ基、ヒドロキシ基、又は、ハロゲン原子である。）
【請求項４】
前記一般式（２）中、Ｙは、酸素原子若しくは窒素原子を含む５員若しくは６員の複素環を形成する原子団であるか、又は、下記一般式（５）で示される構造を有する請求項２又は３に記載の色補正フィルタ。
【化５】
2014130250.tif 000059
（式（５）中、Ｂ１とＢ２は、それぞれ独立して、シアノ基、置換若しくは無置換のヘテロアリール基、カルボキシル基、又は、ＣＯ２Ｒ６で表されるアルコキシカルボニル基である。なお、Ｒ６は、直鎖、分岐若しくは環状のアルキル基である。また、＊印の付された炭素原子に二重結合が存在している。）
【請求項５】
前記第２の色材は、下記一般式（８）で示される構造を有する請求項１に記載の色補正フィルタ。
【化６】
2014130250.tif 000060
（式（８）中、Ａ４は、酸素原子及び／又は窒素原子を含む複素芳香環を表し、Ｍ１は、２価又は３価の金属原子を表し、Ｘ１は、ヘテロ原子を表し、Ｒ２１、Ｒ２２、Ｒ２３は、それぞれ独立して、水素原子又は１価の官能基である。）
【請求項６】
前記第１の色材の吸収極大波長が５７０〜６２０ｎｍである請求項１〜５のいずれかに記載の色補正フィルタ。
【請求項７】
前記一般式（１）中、Ｚ１とＺ２、Ｚ３とＺ４、Ｚ５とＺ６及びＺ７とＺ８の２つの置換基のうち、いずれか一方の置換基は、置換若しくは無置換のアリール基である請求項１〜６のいずれかに記載の色補正フィルタ。
【請求項８】
前記一般式（１）中、Ｚ１とＺ２、Ｚ３とＺ４、Ｚ５とＺ６及びＺ７とＺ８の２つの置換基のうち、いずれか一方の置換基は、それぞれ独立して、水素原子以外の置換基を少なくとも１つ有するフェニル基であり、前記フェニル基の２位、４位及び６位のうちの少なくとも１つが、それぞれ独立して、フッ素原子、塩素原子、臭素原子、メチル基又は３フッ化メチル基で置換されてなる請求項７に記載の色補正フィルタ。
【請求項９】
前記一般式（１）中、Ｚ１とＺ２、Ｚ３とＺ４、Ｚ５とＺ６及びＺ７とＺ８の２つの置換基のうち、いずれか一方の置換基は、それぞれ独立して、水素原子の一部又は全部がハロゲンで置換されたアルコキシ基である請求項１〜６のいずれかに記載の色補正フィルタ。
【請求項１０】
前記一般式（１）中、Ｚ１とＺ２、Ｚ３とＺ４、Ｚ５とＺ６及びＺ７とＺ８の２つの置換基のうち、いずれか一方の置換基は、炭素数１〜６のアルキル基である請求項１〜９のいずれかに記載の色補正フィルタ。
【請求項１１】
前記一般式（１）中、Ｚ１とＺ２、Ｚ３とＺ４、Ｚ５とＺ６及びＺ７とＺ８の２つの置換基のうち、いずれか一方の置換基は、ｔ−ブチル基又はシクロヘキシル基である請求項１０に記載の色補正フィルタ。
【請求項１２】
前記一般式（１）中、前記ＭがＣｕ、Ｐｄ、Ｎｉ又はＣｏである請求項１〜１１のいずれかに記載の色補正フィルタ。
【請求項１３】
前記白色ＬＥＤは、青色ＬＥＤと黄色蛍光体の組み合わせにより白色光を得る方式に用いられる白色ＬＥＤである請求項１〜１２のいずれかに記載の色補正フィルタ。
【請求項１４】
白色ＬＥＤを光源とする照明装置に用いられる請求項１〜１３のいずれかに記載の色補正フィルタ。
【請求項１５】
白色ＬＥＤを光源とするディスプレイ装置に用いられる請求項１〜１３のいずれかに記載の色補正フィルタ。
【請求項１６】
請求項１〜１４のいずれかに記載の色補正フィルタを備えることを特徴とする照明装置。
【請求項１７】
請求項１〜１３及び１５のいずれかに記載の色補正フィルタを備えることを特徴とするディスプレイ装置。
【発明の詳細な説明】
【技術分野】
【０００１】
本発明は、色補正フィルタ、照明装置及びディスプレイ装置に関する。
【背景技術】
【０００２】
近年、照明装置やディスプレイ装置の光源として、白色ＬＥＤが用いられることが多くなっている。白色ＬＥＤの発光方式にはいくつかの種類があり、Ｒ（赤）、Ｇ（緑）、Ｂ（青）のそれぞれの光を発するＬＥＤを並べて白色光を得る方式のものや、青色ＬＥＤからの青色光と黄色蛍光体からの黄色発光の組み合わせにより白色光を得る方式のものがある。
【０００３】
これらの方式のうち、青色ＬＥＤと黄色蛍光体の組み合わせにより白色光を得る方式を使用した場合、得られる白色光のスペクトルには、５９０ｎｍ付近の領域にオレンジ色を示す光が含まれており、この領域の光の発光強度が高いと演色性が低下することが知られていた。
【０００４】
特許文献１には、５７０〜６００ｎｍ付近の波長領域に選択的な吸収極大波長を有する色素を含有させたフィルタを用いた色補正フィルタが開示されており、該色補正フィルタを適用することによって透過型液晶表示装置の色純度を向上させることができることが記載されている。
【０００５】
また、特許文献２には、白色発光体の前面に配設するための透光性部材として、少なくとも波長５７０〜５８０ｎｍに吸収ピークを有する第１の有機可視選択吸収材料および波長略５００ｎｍ以下を吸収する第２の有機可視選択吸収材料が分散された透光性部材が開示されている。特許文献２には、該透光性部材を適用することによって、光色と演色性を改善するとともに、特に赤の見え方が良好となることが記載されている。
【先行技術文献】
【特許文献】
【０００６】
【特許文献１】特開２００９−２５１５１１号公報
【特許文献２】特開２０１１−１９９０５４号公報
【発明の概要】
【発明が解決しようとする課題】
【０００７】
人工光源からの光を用いた場合の物の見え方が、基準光を用いた場合の物の見え方とどれぐらい近いかを示す指標に演色性があり、平均演色評価数（Ｒａ）という指数が知られている。Ｒａ値が高いほど基準光に近い光とされる。
【０００８】
また、白色の度合い（例えば、赤っぽい、青っぽい等）を示す指標として、色温度が知られている。色温度が低いほど赤っぽく、色温度が高いほど青っぽくなる。
【０００９】
白色ＬＥＤの有する発光スペクトルの形状は、青色ＬＥＤの特性や黄色蛍光体の組成によってそれぞれ異なる。また、販売されている白色ＬＥＤ電球として、電球色、昼白色、昼光色といった異なる色調のものがある。そのため、白色光に含まれるオレンジ色を示す光といっても一様ではない。従って、色素を含有する色補正フィルタを使用する場合には、色補正フィルタを適用する白色ＬＥＤの発光スペクトルに対して色素の吸収極大波長、吸収スペクトルが最も適した色素を採用することが好ましいと考えられる。
【００１０】
ここで、特許文献１には、色補正フィルタに色素を用いることは記載されているものの、色素の詳細な構造と可視光吸収特性の関係が不明であり、白色ＬＥＤの発光スペクトルに対して最適な色補正フィルタを設計する指針は得られていなかった。
【００１１】
また、特許文献１に記載の色補正フィルタのように、黄色からオレンジ色の発光を抑制すると、相対的に青色光の強度が高くなってしまう。言い換えると、相対的に色温度が高くなってしまう。そのため、白色ＬＥＤを設計する段階と異なる色温度の発光となってしまうという問題が生じる。
【００１２】
特許文献２には、波長略５００ｎｍ以下を吸収する第２の有機可視選択吸収材料を用いることが記載されており、実施例では、波長約４５５ｎｍに吸収ピークを有する有機金属化合物系可視選択吸収材料が記載されている。しかし、特許文献２においては、第２の有機可視選択吸収材料の詳細な構造は不明であり、また、相対光量も５０〜６０％程度まで落ち込んでいた。
【００１３】
本発明は、上記の課題を解決するためになされたものであり、白色ＬＥＤを光源とする装置に用いられる、白色光の演色性を高めつつ、色温度の変化を抑制するための色補正フィルタを提供することを目的とする。
【課題を解決するための手段】
【００１４】
本発明者らは、鋭意検討した結果、特定の構造を有する色材を組み合わせた色補正フィルタが上記の目的に対して好適であることを見出し、本発明に想到した。
【００１５】
すなわち、本発明の色補正フィルタは、
白色ＬＥＤを光源とする装置に用いられる色補正フィルタであって、
下記一般式（１）で示される構造の第１の色材を少なくとも１種と、
４２０〜４８０ｎｍの波長域に吸収極大を有する第２の色材を少なくとも１種とを含むことを特徴とする。
【化１】
2014130250.tif 000003
（式（１）中、Ｚ１とＺ２、Ｚ３とＺ４、Ｚ５とＺ６及びＺ７とＺ８は、それぞれ独立して、直鎖、分岐若しくは環状のアルキル基、直鎖、分岐若しくは環状のアルコキシ基、置換若しくは無置換のアリール基、置換若しくは無置換のヘテロアリール基、又は、水素原子であり、上記アルキル基及び上記アルコキシ基の水素原子の一部又は全部はハロゲンで置換されていてもよく、Ｚ１とＺ２、Ｚ３とＺ４、Ｚ５とＺ６及びＺ７とＺ８の２つの置換基はそれぞれ互いに異なる。Ｍは２個の水素原子、２価の金属原子、３価若しくは４価の置換金属原子、又は、オキシ金属である。）
【００１６】
一般式（１）で示される構造の第１の色材は、白色ＬＥＤから発せられる白色光のスペクトルにおいて５９０ｎｍ付近の領域に存在するオレンジ色を示す光を吸収する特性を有している。
そのため、上記第１の色材を含む色補正フィルタを用いることによって、白色ＬＥＤからの白色光の演色性を高めることができる。
【００１７】
また、４２０〜４８０ｎｍの波長域に吸収極大を有する第２の色材は、白色ＬＥＤから発せられる白色光のスペクトルにおいて４５０ｎｍ付近の領域に存在する青色を示す光を吸収する特性を有している。
上述のように、第１の色材のみを含む色補正フィルタを用いた場合、相対的に色温度が高くなる。従って、第１の色材に加えて第２の色材を含む色補正フィルタを用いることによって、第１の色材のみを含む色補正フィルタを用いる場合に比べて色温度の上昇を抑制することができる。
【００１８】
本発明の色補正フィルタにおいて、上記第２の色材は、下記一般式（２）で示される構造を有することが望ましい。
【化２】
2014130250.tif 000004
（式（２）中、Ｒ１とＲ２は、それぞれ独立して、直鎖、分岐若しくは環状のアルキル基、又は、水素原子であり、Ｘは電子供与性原子団を表し、Ｙは電子求引性原子団を表し、ｎは０〜５の整数である。）
【００１９】
本発明の色補正フィルタにおいて、上記第２の色材は、下記一般式（３）又は（４）で示される構造を有することが望ましい。
【化３】
2014130250.tif 000005
（式（３）中、Ａ１は、隣接する窒素原子と共に環構造を形成することのできる置換基であり、Ａ２は、直鎖、分岐若しくは環状のアルキル基、置換若しくは無置換のアリール基、置換若しくは無置換のアラルキル基、置換若しくは無置換のヘテロアリール基、又は、水素原子である。）
【化４】
2014130250.tif 000006
（式（４）中、Ｒ３とＲ４は、それぞれ独立して、直鎖、分岐若しくは環状のアルキル基であり、Ｒ３とＲ４とで環構造を形成してもよく、Ｒ３とＲ４は、Ｒ３とＲ４が結合している窒素原子及びこの窒素原子が結合しているベンゼン環と共にジュロリジン構造を形成してもよい。Ｒ５は、水素原子、直鎖、分岐若しくは環状のアルキル基、直鎖、分岐若しくは環状のアルコキシ基、ヒドロキシ基、又は、ハロゲン原子である。）
【００２０】
本発明の色補正フィルタにおいて、上記一般式（２）中、Ｙは、酸素原子若しくは窒素原子を含む５員若しくは６員の複素環を形成する原子団であるか、又は、下記一般式（５）で示される構造を有することが望ましい。
【化５】
2014130250.tif 000007
（式（５）中、Ｂ１とＢ２は、それぞれ独立して、シアノ基、置換若しくは無置換のヘテロアリール基、カルボキシル基、又は、ＣＯ２Ｒ６で表されるアルコキシカルボニル基である。なお、Ｒ６は、直鎖、分岐若しくは環状のアルキル基である。また、＊印の付された炭素原子に二重結合が存在している。）
【００２１】
本発明の色補正フィルタにおいて、上記第２の色材は、下記一般式（８）で示される構造を有することが望ましい。
【化６】
2014130250.tif 000008
（式（８）中、Ａ４は、酸素原子及び／又は窒素原子を含む複素芳香環を表し、Ｍ１は、２価又は３価の金属原子を表し、Ｘ１は、ヘテロ原子を表し、Ｒ２１、Ｒ２２、Ｒ２３は、それぞれ独立して、水素原子又は１価の官能基である。）
【００２２】
本発明の色補正フィルタにおいては、上記第１の色材の吸収極大波長が５７０〜６２０ｎｍであることが望ましい。
【００２３】
本発明の色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、置換若しくは無置換のアリール基であることが望ましい。
【００２４】
本発明の色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、それぞれ独立して、水素原子以外の置換基を少なくとも１つ有するフェニル基であることがより望ましく、上記フェニル基の２位、４位及び６位のうちの少なくとも１つが、それぞれ独立して、フッ素原子、塩素原子、臭素原子、メチル基又は３フッ化メチル基で置換されてなることがより望ましい。
【００２５】
本発明の色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、それぞれ独立して、水素原子の一部又は全部がハロゲンで置換されたアルコキシ基であることが望ましい。
【００２６】
本発明の色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、炭素数１〜６のアルキル基であることが望ましい。
【００２７】
本発明の色補正フィルタにおいて、上記一般式（１）中、Ｚ１とＺ２、Ｚ３とＺ４、Ｚ５とＺ６及びＺ７とＺ８の２つの置換基のうち、いずれか一方の置換基は、ｔ−ブチル基又はシクロヘキシル基であることがより望ましい。
【００２８】
本発明の色補正フィルタにおいては、上記一般式（１）中、上記ＭがＣｕ、Ｐｄ、Ｎｉ又はＣｏであることが望ましい。
【００２９】
本発明の色補正フィルタにおいて、上記白色ＬＥＤは、青色ＬＥＤと黄色蛍光体の組み合わせにより白色光を得る方式に用いられる白色ＬＥＤであることが望ましい。
【００３０】
本発明の色補正フィルタは、白色ＬＥＤを光源とする照明装置に用いられることが望ましい。
【００３１】
本発明の色補正フィルタは、白色ＬＥＤを光源とするディスプレイ装置に用いられることが望ましい。
【００３２】
本発明の照明装置は、本発明の色補正フィルタを備えることを特徴とする。
【００３３】
本発明のディスプレイ装置は、本発明の色補正フィルタを備えることを特徴とする。
【発明の効果】
【００３４】
本発明の色補正フィルタは、特定の構造を有する色材を組み合わせて含んでいるため、白色ＬＥＤからの白色光の演色性を高めつつ、色温度の変化を抑制することができる。
また、本発明の照明装置は、演色性の高い光を発する照明装置とすることができる。
また、本発明のディスプレイ装置は、色再現性が高いディスプレイ装置とすることができる。
【図面の簡単な説明】
【００３５】
【図１】図１は、実施例１及び比較例１において得られる昼白色白色ＬＥＤ光源からの分光スペクトルの比較である。
【図２】図２は、実施例１４及び比較例１において得られる昼白色白色ＬＥＤ光源からの分光スペクトルの比較である。
【発明を実施するための形態】
【００３６】
本発明の色補正フィルタは、白色ＬＥＤを光源とする装置に用いられる色補正フィルタであって、特定の構造を有する第１の色材、及び、特定の波長域に吸収極大を有する第２の色材を、それぞれ少なくとも１種含むことを特徴とする。
以下、第１の色材及び第２の色材について説明する。
【００３７】
（第１の色材）
本発明の色補正フィルタに含まれる第１の色材は、下記一般式（１）で示される構造を有するテトラアザポルフィリン化合物である。
【化７】
2014130250.tif 000009
（式（１）中、Ｚ１とＺ２、Ｚ３とＺ４、Ｚ５とＺ６及びＺ７とＺ８は、それぞれ独立して、直鎖、分岐若しくは環状のアルキル基、直鎖、分岐若しくは環状のアルコキシ基、置換若しくは無置換のアリール基、置換若しくは無置換のヘテロアリール基、又は、水素原子であり、上記アルキル基及び上記アルコキシ基の水素原子の一部又は全部はハロゲンで置換されていてもよく、Ｚ１とＺ２、Ｚ３とＺ４、Ｚ５とＺ６及びＺ７とＺ８の２つの置換基はそれぞれ互いに異なる。Ｍは２個の水素原子、２価の金属原子、３価若しくは４価の置換金属原子、又は、オキシ金属である。）
【００３８】
上記一般式（１）で表されるテトラアザポルフィリン化合物には、４種の異性体が存在する。
例えば、Ｚ１とＺ２、Ｚ３とＺ４、Ｚ５とＺ６及びＺ７とＺ８の２つの置換基のうち、いずれか一方の置換基が２位に置換基Ｘを有するフェニル基であり、他方の置換基がＲで示すアルキル基である場合、下記式（１−１）〜（１−４）で示す４種の異性体が存在することになる。
上記一般式（１）は、Ｚ１とＺ２、Ｚ３とＺ４、Ｚ５とＺ６及びＺ７とＺ８の２つの置換基の位置関係が異なる４種類の異性体を全て含むことを意味している。また、本発明の色補正フィルタにはこれらの異性体のうち１つのみが含まれていてもよく、複数種類が混合物として含まれていてもよい。
【００３９】
【化８】
2014130250.tif 000010
【化９】
2014130250.tif 000011
【化１０】
2014130250.tif 000012
【化１１】
2014130250.tif 000013
【００４０】
一般式（１）において、Ｚ１とＺ２、Ｚ３とＺ４、Ｚ５とＺ６及びＺ７とＺ８の２つの置換基はそれぞれ互いに異なる。例えば、式（１−１）〜（１−４）に示すように、Ｚ１が２位に置換基Ｘを有するフェニル基であり、Ｚ２がＲで示すアルキル基である場合、Ｚ３とＺ４の関係も同様であり、Ｚ３とＺ４のうちの一方の置換基が２位に置換基Ｘを有するフェニル基であり、他方の置換基がＲで示すアルキル基である。
Ｚ５とＺ６の関係も同様であり、Ｚ５とＺ６のうちの一方の置換基が２位に置換基Ｘを有するフェニル基であり、他方の置換基がＲで示すアルキル基である。
Ｚ７とＺ８の関係も同様であり、Ｚ７とＺ８のうちの一方の置換基が２位に置換基Ｘを有するフェニル基であり、他方の置換基がＲで示すアルキル基である。
【００４１】
Ｚ１〜Ｚ８の例として、直鎖、分岐又は環状のアルキル基としては、それぞれ独立して、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、２−メチルブチル基、１−メチルブチル基、ｎｅｏ−ペンチル基、１，２−ジメチルプロピル基、１，１−ジメチルプロピル基、シクロペンチル基、ｎ−ヘキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，１，２−トリメチルプロピル基、１−エチル−２−メチルプロピル基、シクロヘキシル基、ｎ−へプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｔ−オクチル基、ｎ−ノニル基、３，５，５−トリメチルヘキシル基、ｎ−デシル基、４−エチルオクチル基、４−エチル−４，５−ジメチルヘキシル基、ｎ−ウンデシル基、ｎ−ドデシル基、１，３，５，７−テトラメチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプタデシル基、２，６−ジメチルヘプタデシル基、２，４−ジメチルヘプタデシル基、２，２，５，５−テトラメチルヘキシル基、１−シクロペンチル−２，２−ジメチルプロピル基、１−シクロペンチル−２，２−ジメチルプロピル基、１−シクロヘキシル−２，２−ジメチルプロピル基等が挙げられる。これらの中でも、炭素数１〜６のアルキル基が望ましく、ｔ−ブチル基又はシクロヘキシル基がより望ましい。
また、Ｚ１〜Ｚ８は水素原子であってもよい。
【００４２】
Ｚ１〜Ｚ８の例として、直鎖、分岐若しくは環状のアルコキシ基としては、メトキシ基、エトキシ基、ｎ−プロポキシ基、ｉｓｏ−プロポキシ基、ｎ−ブトキシ基、ｉｓｏ−ブトキシ基、ｓｅｃ−ブトキシ基、ｔ−ブトキシ基、ｎ−ペントキシ基、ｉｓｏ−ペントキシ基、ｎｅｏ−ペントキシ基、ｎ−ヘキシルオキシ基、ｎ−シクロヘキシルオキシ基、ｎ−ドデシルオキシ基等が挙げられる。
【００４３】
Ｚ１〜Ｚ８の例として、置換又は無置換のアリール基としては、フェニル基、ニトロフェニル基、シアノフェニル基、ヒドロキシフェニル基、メチルフェニル基、ジメチルフェニル基、トリメチルフェニル基、フルオロフェニル基、クロロフェニル基、ブロモフェニル基、メトキシフェニル基、エトキシフェニル基、トリフルオロメチルフェニル基、Ｎ，Ｎ−ジメチルアミノフェニル基、ナフチル基、ニトロナフチル基、シアノナフチル基、ヒドロキシナフチル基、メチルナフチル基、フルオロナフチル基、クロロナフチル基、ブロモナフチル基、トリフルオロメチルナフチル基等のアリール基が挙げられる。
また、置換アリール基は、水素原子以外の置換基を少なくとも１つ有するフェニル基であることが望ましく、フェニル基の２位〜６位のうちの複数箇所が水素原子以外の置換基で置換されていてもよい。
特に、フェニル基の２位、４位及び６位のうちの少なくとも１つが、それぞれ独立して、フッ素原子、塩素原子、臭素原子、メチル基又は３フッ化メチル基（トリフルオロメチル基）で置換されてなるものが望ましい。
具体的な例としては、２−フルオロフェニル基、３−フルオロフェニル基、４−フルオロフェニル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，４，６−トリフルオロフェニル基、２，３，５，６−テトラフルオロフェニル基、２，３，４，５，６−ペンタフルオロフェニル基、
２−クロロフェニル基、３−クロロフェニル基、４−クロロフェニル基、２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２，４，６−トリクロロフェニル基、２，３，５，６−テトラクロロフェニル基、２，３，４，５，６−ペンタクロロフェニル基、
２−ブロモフェニル基、３−ブロモフェニル基、４−ブロモフェニル基、２，３−ジブロモフェニル基、２，４−ジブロモフェニル基、２，５−ジブロモフェニル基、２，６−ジブロモフェニル基、３，４−ジブロモフェニル基、３，５−ジブロモフェニル基、２，４，６−トリブロモフェニル基、２，３，５，６−テトラブロモフェニル基、２，３，４，５，６−ペンタブロモフェニル基、
２−メチルフェニル基、３−メチルフェニル基、４−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２，４，６−トリメチルフェニル基、２，３，５，６−テトラメチルフェニル基、２，３，４，５，６−ペンタメチルフェニル基、
２−トリフルオロメチルフェニル基、３−トリフルオロメチルフェニル基、４−トリフルオロメチルフェニル基、２，３−ジトリフルオロメチルフェニル基、２，４−ジトリフルオロメチルフェニル基、２，５−ジトリフルオロメチルフェニル基、２，６−ジトリフルオロメチルフェニル基、３，４−ジトリフルオロメチルフェニル基、３，５−ジトリフルオロメチルフェニル基、２，４，６−トリトリフルオロメチルフェニル基、２，３，５，６−テトラトリフルオロメチルフェニル基、２，３，４，５，６−ペンタフルオロメチルフェニル基、等が挙げられる。
そして、これらの中でも、２−フルオロフェニル基、４−フルオロフェニル基、２，４−ジフルオロフェニル基、２，６−ジフルオロフェニル基、２−クロロフェニル基、４−クロロフェニル基、２，４−ジクロロフェニル基、２，６−ジクロロフェニル基、２−ブロモフェニル基、４−ブロモフェニル基、２，４−ジブロモフェニル基、２，６−ジブロモフェニル基、２−メチルフェニル基、４−メチルフェニル基、２，４−ジメチルフェニル基、２，６−ジメチルフェニル基、２−トリフルオロメチルフェニル基、４−トリフルオロメチルフェニル基、２，４−ジトリフルオロメチルフェニル基、２，６−ジトリフルオロメチルフェニル基が望ましい。
【００４４】
Ｚ１〜Ｚ８の例として、置換又は無置換のヘテロアリール基としては、ピロリル基、チエニル基、フラニル基、オキサゾリル基、イソオキサゾリル基、オキサジアゾリル基、イミダゾリル基、ベンゾオキサゾリル基、ベンゾチアゾリル基、ベンゾイミダゾリル基、ベンゾフラニル基、インドリル基等のヘテロアリール基等、あるいは上記ヘテロアリール基にハロゲン原子を含むハロゲノヘテロアリール基等が挙げられる。
【００４５】
Ｚ１〜Ｚ８の例としては、上記アルキル基及び上記アルコキシ基の水素原子の一部又は全部がハロゲンで置換されているものも挙げられる。
アルキル基の水素原子の一部又は全部がハロゲンで置換されているものの例としては、クロロメチル基、ジクロロメチル基、フルオロメチル基、トリフルオロメチル基、ペンタフルオロエチル基、ノナフルオロブチル基等が挙げられる。
アルコキシ基の水素原子の一部又は全部がハロゲンで置換されているものの例としては、フルオロメトキシ基、ジフルオロメトキシ基、トリフルオロメトキシ基、１，１，２，２，２−ペンタフルオロエトキシ基、１，１，２，２−テトラフルオロエトキシ基、１，１，２−トリフルオロエトキシ基、１，２，２−トリフルオロエトキシ基、２，２，２−トリフルオロエトキシ基、２，２−ジフルオロエトキシ基、１，２−ジフルオロエトキシ基、１，１−ジフルオロエトキシ基、２−フルオロエトキシ基、１−フルオロエトキシ基、２，２，３，３−テトラフルオロ−１−プロポキシ基、２，２，３，３，３−ペンタフルオロ−１−プロポキシ基、２，２，３，３，４，４，４−ヘプタフルオロ−１−ブトキシ基、２，２，３，４，４，４−ヘキサフルオロ−１−ブトキシ基、２，２，３，３，４，４，５，５−オクタフルオロ−１−ペンチルオキシ基、３，３，４，４，５，５，６，６，６−ノナフルオロ−１−ヘキシルオキシ基、４，４，５，５，６，６，７，７，７−ノナフルオロ−１−ヘプチルオキシ基、２，２，３，３，４，４，５，５，６，６，７，７−ドデカフルオロ−１−ヘプチルオキシ基、７，７，８，８，８−ペンタフルオロ−１−オクチルオキシ基、３，３，４，４，５，５，６，６，７，７，８，８，８−トリデカフルオロ−１−オクチルオキシ基、２，２，３，３，４，４，５，５，６，６，７，７，８，８，９，９−ヘキサデカフルオロ−１−ノニルオキシ基、４，４，５，５，６，６，７，７，８，８，９，９，９−トリデカフルオロ−１−ノニルオキシ基、７，７，８，８，９，９，１０，１０，１０−ノナフルオロ−１−デシルオキシ基、３，３，４，４，５，５，６，６，７，７，８，８，９，９，１０，１０，１０−ヘプタデカフルオロ−１−デシルオキシ基、４，４，５，５，６，６，７，７，８，８，９，９，１０，１０，１０−ペンタデカフルオロ−１−デシルオキシ基、７，７，８，８，９，９，１０，１０，１１，１１，１２，１２，１２−トリデカフルオロ−１−ドデシルオキシ基、３，３，４，４，５，５，６，６，７，７，８，８，９，９，１０，１０，１１，１１，１２，１２，１２−ヘニコサフルオロ−１−ドデシルオキシ基、７，７，８，８，９，９，１０，１０，１１，１１，１２，１２，１３，１３，１４，１４，１４−ヘプタデカフルオロ−１−テトラデシルオキシ基、１Ｈ，１Ｈ，２，５−ビス（トリフルオロメチル）−３，６−ジオキサウンデカフルオロ−１−ノニルオキシ基、６−（パーフルオロ−１−メチルエチル）−１−ヘキシルオキシ基、２−（パーフルオロ−１−メチルブチル）−１−エトキシ基、２−（パーフルオロ−３−メチルブチル）エトキシ基、２−（パーフルオロ−７−メチルオクチル）エトキシ基、２Ｈ−ヘキサフルオロ−２−プロポキシ基、２，２−ビス（トリフルオロメチル）−１−プロポキシ基等が挙げられる。
【００４６】
一般式（１）において、Ｚ１とＺ２、Ｚ３とＺ４、Ｚ５とＺ６及びＺ７とＺ８の２つの置換基のうち、一方の置換基は、置換若しくは無置換のアリール基であることが望ましい。この場合、Ｚ１とＺ２、Ｚ３とＺ４、Ｚ５とＺ６及びＺ７とＺ８の２つの置換基のうち、一方の置換基は、それぞれ独立して、水素原子以外の置換基を少なくとも１つ有するフェニル基であり、上記フェニル基の２位、４位及び６位のうちの少なくとも１つが、それぞれ独立して、フッ素原子、塩素原子、臭素原子、メチル基又は３フッ化メチル基で置換されてなることがより望ましい。
また、一般式（１）において、Ｚ１とＺ２、Ｚ３とＺ４、Ｚ５とＺ６及びＺ７とＺ８の２つの置換基のうち、一方の置換基は、それぞれ独立して、水素原子の一部又は全部がハロゲンで置換されたアルコキシ基であることも望ましい。
【００４７】
一般式（１）において、Ｚ１とＺ２、Ｚ３とＺ４、Ｚ５とＺ６及びＺ７とＺ８の２つの置換基のうち、他方の置換基は、炭素数１〜６のアルキル基であることが望ましく、ｔ−ブチル基又はシクロヘキシル基であることがより望ましい。
【００４８】
これらの中では、一般式（１）において、Ｚ１とＺ２、Ｚ３とＺ４、Ｚ５とＺ６及びＺ７とＺ８の２つの置換基のうち、一方の置換基が、置換若しくは無置換のアリール基であり、他方の置換基が、炭素数１〜６のアルキル基である組み合わせが望ましい。また、一方の置換基が、それぞれ独立して、水素原子以外の置換基を少なくとも１つ有するフェニル基であり、上記フェニル基の２位、４位及び６位のうちの少なくとも１つが、それぞれ独立して、フッ素原子、塩素原子、臭素原子、メチル基又は３フッ化メチル基で置換されてなり、他方の置換基が、ｔ−ブチル基又はシクロヘキシル基である組み合わせがより望ましい。
【００４９】
一般式（１）におけるＭは２個の水素原子、２価の金属原子、３価若しくは４価の置換金属原子、又は、オキシ金属である。
Ｍで示される２価の金属原子の例としては、Ｃｕ，Ｚｎ，Ｆｅ，Ｃｏ，Ｎｉ，Ｒｕ，Ｒｈ，Ｐｄ，Ｐｔ，Ｍｎ，Ｓｎ，Ｍｇ，Ｈｇ，Ｃｄ，Ｂａ，Ｔｉ，Ｂｅ，Ｃａ等が挙げられる。
３価の置換金属原子の例としては、Ａｌ−Ｆ，Ａｌ−Ｃｌ，Ａｌ−Ｂｒ，Ａｌ−Ｉ，Ａｌ（ＯＨ），Ａｌ（ＯＡ）［但し、Ａはアルキル基、フェニル基、ナフチル基、トリアルキルシリル基、ジアルキルアルコキシシリル基及びその誘導体を表す］，Ｇａ−Ｆ，Ｇａ−Ｃｌ，Ｇａ−Ｂｒ，Ｇａ−Ｉ，Ｉｎ−Ｆ，ＩｎＣｌ，Ｉｎ−Ｂｒ，Ｉｎ−Ｉ，Ｔｌ−Ｆ，Ｔｌ−Ｃｌ，Ｔｌ−Ｂｒ，Ｔｌ−Ｉ，Ａｌ−Ｃ６Ｈ５，Ａｌ−Ｃ６Ｈ４（ＣＨ３），Ｉｎ−Ｃ６Ｈ５，Ｉｎ−Ｃ６Ｈ４（ＣＨ３），Ｍｎ（ＯＨ），Ｍｎ（ＯＣ６Ｈ５），Ｍｎ［ＯＳｉ（ＣＨ３）３］，Ｆｅ−Ｃｌ，Ｒｕ−Ｃｌ等が挙げられる。
４価の置換金属原子の例としては、ＣｒＣｌ２，ＳｉＦ２，ＳｉＣｌ２，ＳｉＢｒ２，ＳｉＩ２，ＳｎＦ２，ＳｎＣｌ２，ＳｎＢｒ２，ＺｒＣｌ２，ＧｅＦ２，ＧｅＣｌ２，ＧｅＢｒ２，ＧｅＩ２，ＴｉＦ２，ＴｉＣｌ２，ＴｉＢｒ２，Ｓｉ（ＯＨ）２，Ｓｎ（ＯＨ）２，Ｇｅ（ＯＨ）２，Ｚｒ（ＯＨ）２，Ｍｎ（ＯＨ）２，ＴｉＡ２，ＣｒＡ２，ＳｉＡ２，ＳｎＡ２，ＧｅＡ２［但し、Ａはアルキル基、フェニル基、ナフチル基及びその誘導体を表す］、Ｓｉ（ＯＡ）２，Ｓｎ（ＯＡ）２、Ｇｅ（ＯＡ）２、Ｔｉ（ＯＡ）２，Ｃｒ（ＯＡ）２［但し、Ａはアルキル基、フェニル基、ナフチル基、トリアルキルシリル基、ジアルキルアルコキシシリル基及びその誘導体を表す］、Ｓｉ（ＳＡ）２、Ｓｎ（ＳＡ）２，Ｇｅ（ＳＡ）２［但し、Ａはアルキル基、フェニル基、ナフチル基及びその誘導体を表す］等が挙げられる。
オキシ金属の例としては、ＶＯ，ＭｎＯ，ＴｉＯ等が挙げられる。
ＭとしてはＣｕ、Ｐｄ、Ｎｉ又はＣｏが望ましい。
【００５０】
本発明の色補正フィルタに含まれる、一般式（１）で表されるテトラアザポルフィリン化合物は、５９０ｎｍ付近のオレンジ色を示す光を吸収する化合物であるが、その吸収極大波長（λｍａｘ）が５７０〜６２０ｎｍであることが望ましい。
テトラアザポルフィリン化合物の吸収極大波長は、テトラアザポルフィリン化合物の中心金属Ｍや置換基を変更することによって変化させることができる。
また、吸収極大波長のより望ましい上限値は６１５ｎｍであり、さらに望ましい上限値は６００ｎｍである。また、吸収極大波長の望ましい下限値は５７０ｎｍであり、より望ましい下限値は５７５ｎｍである。
吸収極大波長は分光光度計により測定することができる。
【００５１】
本発明の色補正フィルタに含まれる、一般式（１）で表されるテトラアザポルフィリン化合物は、下記一般式（７）で示される１，２−ジシアノエチレン化合物のシス体を環化することによって得られる。
【化１２】
2014130250.tif 000014
（式（７）中、Ｚ１及びＺ２は、直鎖、分岐若しくは環状のアルキル基、直鎖、分岐若しくは環状のアルコキシ基、置換若しくは無置換のアリール基、置換若しくは無置換のヘテロアリール基、又は、水素原子であり、上記アルキル基及び上記アルコキシ基の水素原子の一部又は全部はハロゲンで置換されていてもよく、Ｚ１とＺ２は互いに異なる。）
【００５２】
一般式（７）に示す１，２−ジシアノエチレン化合物のシス体４モルを環化することによって、一般式（１）に示すテトラアザポルフィリン化合物１モルが得られる。
環化反応は、一般式（７）に示す１，２−ジシアノエチレン化合物のシス体と金属又は金属誘導体とをアルコール系溶媒中で有機塩基共存下で加熱反応することによって行うことができる。
環化反応によって得られる一般式（１）に示すテトラアザポルフィリン化合物は、通常、Ｚ１とＺ２、Ｚ３とＺ４、Ｚ５とＺ６及びＺ７とＺ８の２つの置換基の位置関係が異なる４種類の異性体の混合物となる。
【００５３】
（第２の色材）
本発明の色補正フィルタに含まれる第２の色材は、４２０〜４８０ｎｍの波長域に吸収極大を有している。
【００５４】
本発明の色補正フィルタに含まれる第２の色材は、下記一般式（２）で示される構造を有することが望ましい。
【化１３】
2014130250.tif 000015
（式（２）中、Ｒ１とＲ２は、それぞれ独立して、直鎖、分岐若しくは環状のアルキル基、又は、水素原子であり、Ｘは電子供与性原子団を表し、Ｙは電子求引性原子団を表し、ｎは０〜５の整数である。）
【００５５】
一般式（２）において、Ｒ１及びＲ２が直鎖、分岐又は環状のアルキル基である場合、炭素数１〜２０の直鎖、分岐又は環状のアルキル基であることが望ましい。
Ｒ１及びＲ２が直鎖、分岐又は環状のアルキル基である場合の具体例としては、それぞれ独立して、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、２−メチルブチル基、１−メチルブチル基、ｎｅｏ−ペンチル基、１，２−ジメチルプロピル基、１，１−ジメチルプロピル基、シクロペンチル基、ｎ−ヘキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，１，２−トリメチルブチル基、１−エチル−２−メチルプロピル基、シクロヘキシル基、ｎ−へプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｔ−オクチル基、ｎ−ノニル基、３，５，５−トリメチルヘキシル基、ｎ−デシル基、４−エチルオクチル基、４−エチル−４，５−ジメチルヘキシル基、ｎ−ウンデシル基、ｎ−ドデシル基、１，３，５，７−テトラメチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプタデシル基、２，６−ジメチルヘプタデシル基、２，４−ジメチルヘプタデシル基、２，２，５，５−テトラメチルヘキシル基、１−シクロペンチル−２，２−ジメチルプロピル基、１−シクロペンチル−２，２−ジメチルプロピル基、１−シクロヘキシル−２，２−ジメチルプロピル基等が挙げられる。
また、Ｒ１及びＲ２は水素原子であってもよい。
【００５６】
一般式（２）で示される構造の第２の色材は、下記一般式（３）で示される構造を有することが望ましい。
【化１４】
2014130250.tif 000016
（式（３）中、Ａ１は、隣接する窒素原子と共に環構造を形成することのできる置換基であり、Ａ２は、直鎖、分岐若しくは環状のアルキル基、置換若しくは無置換のアリール基、置換若しくは無置換のアラルキル基、置換若しくは無置換のヘテロアリール基、又は、水素原子である。）
【００５７】
一般式（３）において、Ａ２が直鎖、分岐又は環状のアルキル基である場合、炭素数１〜２０の直鎖、分岐又は環状のアルキル基であることが望ましい。
Ａ２が直鎖、分岐又は環状のアルキル基である場合の具体例としては、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、２−メチルブチル基、１−メチルブチル基、ｎｅｏ−ペンチル基、１，２−ジメチルプロピル基、１，１−ジメチルプロピル基、シクロペンチル基、ｎ−ヘキシル基、４−メチルペンチル基、３−メチルペンチル基、２−メチルペンチル基、１−メチルペンチル基、３，３−ジメチルブチル基、２，３−ジメチルブチル基、１，３−ジメチルブチル基、２，２−ジメチルブチル基、１，２−ジメチルブチル基、１，１−ジメチルブチル基、３−エチルブチル基、２−エチルブチル基、１−エチルブチル基、１，１，２−トリメチルブチル基、１−エチル−２−メチルプロピル基、シクロヘキシル基、ｎ−へプチル基、２−メチルヘキシル基、３−メチルヘキシル基、４−メチルヘキシル基、５−メチルヘキシル基、２，４−ジメチルペンチル基、ｎ−オクチル基、２−エチルヘキシル基、２，５−ジメチルヘキシル基、２，５，５−トリメチルペンチル基、２，４−ジメチルヘキシル基、２，２，４−トリメチルペンチル基、ｔ−オクチル基、ｎ−ノニル基、３，５，５−トリメチルヘキシル基、ｎ−デシル基、４−エチルオクチル基、４−エチル−４，５−ジメチルヘキシル基、ｎ−ウンデシル基、ｎ−ドデシル基、１，３，５，７−テトラメチルオクチル基、４−ブチルオクチル基、６，６−ジエチルオクチル基、ｎ−トリデシル基、６−メチル−４−ブチルオクチル基、ｎ−テトラデシル基、ｎ−ペンタデシル基、３，５−ジメチルヘプタデシル基、２，６−ジメチルヘプタデシル基、２，４−ジメチルヘプタデシル基、２，２，５，５−テトラメチルヘキシル基、１−シクロペンチル−２，２−ジメチルプロピル基、１−シクロペンチル−２，２−ジメチルプロピル基、１−シクロヘキシル−２，２−ジメチルプロピル基等が挙げられる。
【００５８】
これらのアルキル基の水素原子の一部又は全部はハロゲンで置換されていてもよい。例えば、炭素数１〜２０のハロゲノアルキル基であってもよく、クロロメチル基、ジクロロメチル基、フルオロメチル基、トリフルオロメチル基、ペンタフルオロエチル基、ノナフルオロブチル基等が挙げられる。
【００５９】
Ａ２が置換又は無置換のアリール基である場合、炭素数６〜２０のアリール基、又は、ハロゲン原子を含むハロゲノアリール基であることが望ましい。
Ａ２が置換又は無置換のアリール基である場合の具体例としては、フェニル基、ニトロフェニル基、シアノフェニル基、ヒドロキシフェニル基、メチルフェニル基、ジメチルフェニル基、トリメチルフェニル基、ジクロロフェニル基、メトキシフェニル基、エトキシフェニル基、トリフルオロメチルフェニル基、Ｎ，Ｎ−ジメチルアミノフェニル基、ナフチル基、ニトロナフチル基、シアノナフチル基、ヒドロキシナフチル基、メチルナフチル基、トリフルオロメチルナフチル基等が挙げられる。
【００６０】
Ａ２が置換又は無置換のアラルキル基である場合、炭素数７〜２０のアラルキル基、又は、ハロゲン原子を含むハロゲノアラルキル基であることが望ましい。
Ａ２が置換又は無置換のアラルキル基である場合の具体例としては、ベンジル基、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等が挙げられる。
【００６１】
Ａ２が置換又は無置換のヘテロアリール基である場合、具体例としては、ピロリル基、チエニル基、フラニル基、オキサゾリル基、イソオキサゾリル基、オキサジアゾリル基、イミダゾリル基、ベンゾオキサゾリル基、ベンゾチアゾリル基、ベンゾイミダゾリル基、ベンゾフラニル基、インドリル基等のヘテロアリール基、あるいは、当該ヘテロアリール基にハロゲン原子を含むハロゲノヘテロアリール基が挙げられる。
【００６２】
また、Ａ２は水素原子であってもよい。
【００６３】
Ａ２としては、直鎖、分岐若しくは環状のアルキル基、置換若しくは無置換のアリール基、置換若しくは無置換のアラルキル基、又は、水素原子であることが望ましく、炭素数１〜６のアルキル基、フェニル基、又は、ベンジル基であることがより望ましい。
【００６４】
一般式（３）中、下記一般式（３）’の部分は、下記一般式（３−１）、（３−２）及び（３−３）のいずれかの構造を有することが望ましい。
なお、下記一般式（３−１）〜（３−３）では、＊印の付された炭素原子に二重結合が存在している。
【化１５】
2014130250.tif 000017
【化１６】
2014130250.tif 000018
（式（３−１）及び（３−２）中、Ａ３は、直鎖、分岐若しくは環状のアルキル基、直鎖、分岐若しくは環状のアルコキシ基、置換若しくは無置換のアリール基、水素原子、ハロゲン原子、シアノ基、ニトロ基、エステル基、又は、ヒドロキシ基であり、上記アルキル基及び上記アルコキシ基の水素原子の一部又は全部はハロゲンで置換されていてもよい。式（３−１）及び（３−３）中、Ｒ１１とＲ１２は、それぞれ独立して、直鎖、分岐若しくは環状のアルキル基である。）
【００６５】
Ａ３がアルキル基、又は、アリール基である場合の具体例は、Ａ２と同様であるため、その詳細な説明を省略する。
【００６６】
Ａ３が直鎖、分岐又は環状のアルコキシ基である場合、炭素数１〜２０の直鎖、分岐又は環状のアルコキシ基であることが望ましい。
Ａ３が直鎖、分岐又は環状のアルコキシ基である場合の具体例としては、メトキシ基、エトキシ基、ｎ−プロポキシ基、ｉｓｏ−プロポキシ基、ｎ−ブトキシ基、ｉｓｏ−ブトキシ基、ｓｅｃ−ブトキシ基、ｔ−ブトキシ基、ｎ−ペントキシ基、ｉｓｏ−ペントキシ基、ｎｅｏ−ペントキシ基、ｎ−ヘキシルオキシ基、ｎ−ドデシルオキシ基等が挙げられる。
【００６７】
これらのアルコキシ基の水素原子の一部又は全部はハロゲンで置換されていてもよい。例えば、炭素数１〜２０のハロゲノアルコキシ基であってもよく、フルオロメチルオキシ基、３−フルオロプロピルオキシ基、６−フルオロヘキシルオキシ基、８−フルオロオクチルオキシ基、トリフルオロメチルオキシ基、２，２−ビス（トリフルオロメチル）プロピルオキシ基、ジクロロメチルオキシ基、２−クロロエチルオキシ基、３−クロロプロピルオキシ基、４−クロロシクロヘキシルオキシ基、７−クロロヘプチルオキシ基、８−クロロオクチルオキシ基、２，２，２−トリクロロエチルオキシ基等が挙げられる。
【００６８】
Ａ３がエステル基である場合、エステル基とは、エステル結合を介した脂肪族炭化水素基または芳香族炭化水素基をいう。
エステル基の具体例としては、メチルエステル基、エチルエステル基、ブチルエステル基、フェニルエステル基等が挙げられる。
【００６９】
Ａ３がハロゲン原子である場合の具体例としては、フッ素、塩素、臭素、ヨウ素等が挙げられる。
【００７０】
Ａ３としては、ハロゲノアルキル基、ハロゲン原子、アルキル基、水素原子、又は、シアノ基が望ましい。
【００７１】
Ｒ１１及びＲ１２の具体例はＡ２と同様であるため、その詳細な説明を省略する。
Ｒ１１及びＲ１２としては、炭素数１〜６の直鎖、分岐若しくは環状のアルキル基が望ましい。
【００７２】
一般式（３−１）及び（３−２）の構造は、それぞれ下記一般式（３−１）’及び（３−２）’の構造であることがより望ましい。
なお、下記一般式（３−１）’及び（３−２）’では、＊印の付された炭素原子に二重結合が存在している。
【化１７】
2014130250.tif 000019
【００７３】
一般式（２）で示される構造の第２の色材は、下記一般式（４）で示される構造を有することも望ましい。
【化１８】
2014130250.tif 000020
（式（４）中、Ｒ３とＲ４は、それぞれ独立して、直鎖、分岐若しくは環状のアルキル基であり、Ｒ３とＲ４とで環構造を形成してもよく、Ｒ３とＲ４は、Ｒ３とＲ４が結合している窒素原子及びこの窒素原子が結合しているベンゼン環と共にジュロリジン構造を形成してもよい。Ｒ５は、水素原子、直鎖、分岐若しくは環状のアルキル基、直鎖、分岐若しくは環状のアルコキシ基、ヒドロキシ基、又は、ハロゲン原子である。）
【００７４】
Ｒ３及びＲ４がアルキル基である場合の具体例は、Ａ２と同様であるため、その詳細な説明を省略する。
【００７５】
Ｒ３とＲ４とで環構造を形成する場合、一般式（４）の構造としては、例えば、下記一般式（４−１）で示すピペリジノ基、下記一般式（４−２）で示すピロリジノ基、下記一般式（４−３）で示すピペラジノ基、下記一般式（４−４）で示すモルホリノ基などが挙げられる。
【化１９】
2014130250.tif 000021
（式（４−３）中、Ｒ１３は、メチル基又は水素原子である。）
【００７６】
Ｒ３とＲ４が、Ｒ３とＲ４が結合している窒素原子及びこの窒素原子が結合しているベンゼン環と共にジュロリジン構造を形成する場合、一般式（４）の構造としては、例えば、下記一般式（４−５）の構造などが挙げられる。
【化２０】
2014130250.tif 000022
（式（４−５）中、Ｒ１４、Ｒ１５、Ｒ１６及びＲ１７は、それぞれ独立して、メチル基又は水素原子である。）
【００７７】
また、Ｒ５がアルキル基である場合の具体例はＡ２と同様であり、Ｒ５がアルコキシ基、又は、ハロゲン原子である場合の具体例はＡ３と同様であるため、その詳細な説明を省略する。
【００７８】
一般式（４）の構造は、下記一般式（４）’の構造であることがより望ましい。
【化２１】
2014130250.tif 000023
【００７９】
一般式（２）、（３）及び（４）（（４−１）〜（４−５）及び（４）’も含む）中、Ｙは、酸素原子若しくは窒素原子を含む５員若しくは６員の複素環を形成する原子団であることが望ましい。
【００８０】
酸素原子若しくは窒素原子を含む５員若しくは６員の複素環を形成する原子団は、下記一般式（６−１）、（６−２）、（６−３）及び（６−４）のいずれかの構造を有することが望ましい。
なお、下記一般式（６−１）〜（６−４）では、＊印の付された炭素原子に二重結合が存在している。
【化２２】
2014130250.tif 000024
（式（６−１）中、Ｒ１８とＲ１９は、それぞれ独立して、直鎖、分岐若しくは環状のアルキル基である。式（６−２）中、Ｒ７は、直鎖、分岐若しくは環状のアルキル基、置換若しくは無置換のアリール基、又は、水素原子である。式（６−３）中、Ｒ８とＲ９は、それぞれ独立して、直鎖、分岐若しくは環状のアルキル基、置換若しくは無置換のアリール基、又は、水素原子である。式（６−４）中、Ｒ１０は、直鎖、分岐若しくは環状のアルキル基である。）
【００８１】
一般式（６−１）において、Ｒ１８及びＲ１９の具体例はＡ２と同様であるため、その詳細な説明を省略する。
Ｒ１８及びＲ１９としては、炭素数１〜６の直鎖、分岐若しくは環状のアルキル基が望ましい。
【００８２】
一般式（６−２）中、Ｒ７は、直鎖、分岐若しくは環状のアルキル基、フェニル基、又は、水素原子であることが望ましい。
Ｒ７がアルキル基又はアリール基である場合の具体例は、Ａ２と同様であるため、その詳細な説明を省略する。
【００８３】
Ｒ７としては、アルキル基であることが望ましい。
【００８４】
一般式（６−３）中、Ｒ８とＲ９は、それぞれ独立して、直鎖、分岐若しくは環状のアルキル基、フェニル基、又は、水素原子であることが望ましい。
Ｒ８及びＲ９がアルキル基又はアリール基である場合の具体例は、Ａ２と同様であるため、その詳細な説明を省略する。
【００８５】
一般式（６−４）中、Ｒ１０がアルキル基である場合の具体例は、Ａ２と同様であるため、その詳細な説明を省略する。
【００８６】
一般式（２）、（３）及び（４）中、Ｙは、下記一般式（５）で示される構造を有することも望ましい。
なお、下記一般式（５）では、＊印の付された炭素原子に二重結合が存在している。
【化２３】
2014130250.tif 000025
（式（５）中、Ｂ１とＢ２は、それぞれ独立して、シアノ基、置換若しくは無置換のヘテロアリール基、カルボキシル基、又は、ＣＯ２Ｒ６で表されるアルコキシカルボニル基である。なお、Ｒ６は、直鎖、分岐若しくは環状のアルキル基である。）
【００８７】
一般式（５）中、Ｂ１及びＢ２がヘテロアリール基である場合の具体例は、Ａ２と同様であるため、その詳細な説明を省略する。
また、Ｒ６がアルキル基である場合の具体例も、Ａ２と同様であるため、その詳細な説明を省略する。
【００８８】
Ｙが一般式（５）で示される構造を有する場合、下記式（５−１）、一般式（５−２）及び式（５−３）のいずれかの構造を有することがより望ましい。
なお、下記式（５−１）〜（５−３）では、＊印の付された炭素原子に二重結合が存在している。
【化２４】
2014130250.tif 000026
（式（５−２）中、Ｒ２０は、直鎖、分岐若しくは環状のアルキル基である。）
【００８９】
一般式（５−２）において、Ｒ２０の具体例はＡ２と同様であるため、その詳細な説明を省略する。
Ｒ２０としては、炭素数１〜６の直鎖、分岐若しくは環状のアルキル基が望ましい。
【００９０】
第２の色材が一般式（３）で示される構造を有する場合、一般式（３）’の部分が一般式（３−１）の構造（好ましくは一般式（３−１）’の構造）を有し、Ｙが式（５−１）、一般式（５−２）、式（５−３）及び一般式（６−１）〜（６−４）のいずれかの構造を有することが望ましい。また、一般式（３）’の部分が一般式（３−２）の構造（好ましくは一般式（３−２）’の構造）を有し、Ｙが一般式（６−２）又は（６−４）の構造を有することが望ましい。
また、第２の色材が一般式（４）で示される構造を有する場合、一般式（４）’の構造を有し、Ｙが一般式（５）の構造を有することが望ましく、式（５−１）の構造を有することがより望ましい。
これらの中では、一般式（３）’の部分が一般式（３−１）’の構造を有し、Ｙが式（５−１）、一般式（６−１）、一般式（６−２）又は一般式（６−３）を有する場合が特に望ましい。
【００９１】
本発明の色補正フィルタに含まれる第２の色材は、下記一般式（８）で示される構造を有するピラジンＮ−オキシド化合物であることも望ましい。
【化２５】
2014130250.tif 000027
（式（８）中、Ａ４は、酸素原子及び／又は窒素原子を含む複素芳香環を表し、Ｍ１は、２価又は３価の金属原子を表し、Ｘ１は、ヘテロ原子を表し、Ｒ２１、Ｒ２２、Ｒ２３は、それぞれ独立して、水素原子又は１価の官能基である。）
【００９２】
一般式（８）において、Ｒ２１〜Ｒ２３としては、それぞれ独立して、水素原子、炭素数１〜炭素数１８の直鎖又は分岐のアルキル基、炭素数３〜炭素数１８の環状アルキル基、炭素数２〜炭素数１８の直鎖又は分岐のアルケニル基、飽和または不飽和の複素環基、炭素数６〜炭素数１８のアリール基、炭素数７〜炭素数２０のアラルキル基、炭素数１〜炭素数１８の直鎖又は分岐のアルコキシ基、炭素数１〜炭素数１８の直鎖又は分岐のアルキルチオ基、ハロゲン原子、ニトロ基、シアノ基、メルカプト基、ヒドロキシ基、ホルミル基、アシル基、アミノ基、アシルアミノ基、カルバメート基、カルボン酸エステル基、アシルオキシ基、カルバモイル基、スルホニル基、スルフィニル基、スルファモイル基、スルホン酸エステル基、スルホンアミド基からなる群より選ばれるいずれか１種が挙げられる。
【００９３】
一般式（８）において、Ｘ１は、ヘテロ原子を表しているが、硫黄原子又は酸素原子が望ましく、酸素原子がより望ましい。
【００９４】
一般式（８）において、Ｍ１は、２価又は３価の金属原子であり、好ましくは２価の金属原子であり、より好ましくは周期表（長周期型）の３族〜１２族から選ばれる２価の金属原子である。これらの中でも、Ｍ１としては、ニッケル、コバルト、鉄、亜鉛、銅、マンガン及びパラジウムからなる群より選ばれる少なくとも１種が好ましく、ニッケル又は銅がより好ましい。
【００９５】
一般式（８）において、Ａ４としては、酸素原子及び／又は窒素原子を含む複素芳香環であることが望ましい。具体的には、下記一般式（９−１）〜（９−６）の構造を有することが望ましい。
【化２６】
2014130250.tif 000028
【００９６】
一般式（９−１）〜（９−６）において、Ｒ２４〜Ｒ３４は、それぞれ独立して、水素原子；メチル基、エチル基、プロピル基、イソプロピル基、ｎ−ブチル基、ｓｅｃ−ブチル基、ｔ−ブチル基、ｎ−へプチル基等の置換されてもよい炭素数１〜炭素数１８の直鎖又は分岐のアルキル基；シクロプロピル基、シクロペンチル基、シクロヘキシル基、アダマンチル基等の置換されてもよい炭素数３〜炭素数１８の環状アルキル基；ビニル基、プロペニル基、ヘキセニル基等の置換されてもよい炭素数２〜炭素数１８の直鎖又は分岐のアルケニル基；２−チエニル基、２−ピリジル基、４−ピペリジル基、モルホリノ基等の置換されてもよい飽和または不飽和の複素環基；フェニル基、トリル基、キシリル基、メシチル基、ナフチル基等の置換されてもよい炭素数６〜炭素数１８のアリール基；ベンジル基、フェネチル基等の置換されてもよい炭素数７〜炭素数２０のアラルキル基；メトキシ基、エトキシ基、ｎ−プロポキシ基、イソプロポキシ基、ｎ−ブトキシ基、ｓｅｃ−ブトキシ基、ｔ−ブトキシ基等の置換されてもよい炭素数１〜炭素数１８の直鎖又は分岐のアルコキシ基；メチルチオ基、エチルチオ基、ｎ−プロピルチオ基、ｎ−ブチルチオ基、ｓｅｃ−ブチルチオ基、ｔ−ブチルチオ基等の置換されてもよい炭素数１〜炭素数１８の直鎖又は分岐のアルキルチオ基；フッ素原子、塩素原子、臭素原子等のハロゲン原子；ニトロ基；シアノ基；メルカプト基；ヒドロキシ基；ホルミル基；アシル基；アミノ基；アシルアミノ基；カルバメート基；カルボン酸エステル基；アシルオキシ基；カルバモイル基；スルホニル基；スルフィニル基；スルファモイル基；スルホン酸エステル基；スルホンアミド基からなる群より選ばれるいずれか１種の官能基である。
【００９７】
Ａ４としては、一般式（９−１）及び（９−４）〜（９−６）のいずれかの構造を有することがより望ましい。
【００９８】
一般式（８）で示される構造の第２の色材の好ましい例としては、具体的には、下記式（３−ａ）〜（３−ｈ）で示す化合物が挙げられる。
【化２７】
2014130250.tif 000029
【化２８】
2014130250.tif 000030
【化２９】
2014130250.tif 000031
【化３０】
2014130250.tif 000032
【化３１】
2014130250.tif 000033
【化３２】
2014130250.tif 000034
【化３３】
2014130250.tif 000035
【化３４】
2014130250.tif 000036
【００９９】
本発明の色補正フィルタに含まれる第２の色材は、４５０ｎｍ付近の青色を示す光を吸収する化合物であるが、その吸収極大波長（λｍａｘ）が４２０〜４８０ｎｍである。
第２の色材の吸収極大波長は、一般式（２）中の電子供与性原子団Ｘ及び電子求引性原子団Ｙを変更したり、一般式（８）で表されるピラジンＮ−オキシド化合物の中心金属原子Ｍ１や置換基を変更したりすることによって変化させることができる。
また、吸収極大波長のより望ましい上限値は４７５ｎｍである。また、吸収極大波長のより望ましい下限値は４３０ｎｍである。
吸収極大波長は分光光度計により測定することができる。
【０１００】
本発明の色補正フィルタに含まれる、一般式（２）で表される第２の色材は、従来公知の方法により製造することができ、例えば、特表２００４−５２５８００号公報、又は、特開２００２−１８８０１７号公報に記載の方法により製造することができる。また、一般式（８）で表される第２の色材についても、従来公知の方法により製造することができ、例えば、特開２００９−１１４３４４号公報に記載の方法により製造することができる。
【０１０１】
本発明の色補正フィルタは、上述した第１の色材及び第２の色材を含有し、白色ＬＥＤ光源と視認者との間に配置されるものであればよく、その形態、配置場所は特に限定されるものではない。
例えば、第１の色材、第２の色材及びバインダー樹脂を含む色補正コーティング層、第１の色材、第２の色材及び粘着剤を含む色補正粘着剤層、透明樹脂フィルムの上に第１の色材、第２の色材及びバインダー樹脂を含む色補正コーティング層が塗布された色補正フィルム（以下、色補正フィルムＡ）、透明樹脂フィルムの粘着剤層に第１の色材及び第２の色材が含まれる色補正フィルム（以下、色補正フィルムＢ）、透明樹脂フィルムに第１の色材及び第２の色材が含まれる色補正フィルム（以下、色補正フィルムＣ）等の形態が挙げられる。
以後、「色補正フィルム」という場合は、特に区別しない限り上記色補正フィルムＡ、Ｂ、Ｃの全てを指すものとする。また、第１の色材及び第２の色材が透明樹脂フィルム上のコーティング層、粘着剤層及び透明樹脂フィルムのうちの複数の箇所に含まれたフィルムも「色補正フィルム」に含まれるものとする。
【０１０２】
上記バインダー樹脂としては、特に限定されるものではないが、（メタ）アクリル系樹脂（ＰＭＭＡ等）、ポリアミド系樹脂、ポリウレタン系樹脂、ポリオレフィン系樹脂、ポリカーボネート樹脂等の樹脂が挙げられる。
また、粘着剤としては、特に限定されるものではないが、アクリル系、ポリエステル系、ポリアミド系、ポリウレタン系、ポリオレフィン系、ポリカーボネート系、ゴム系又はシリコン樹脂系等の粘着剤が挙げられる。これらの中ではアクリル系粘着剤、シリコン樹脂系粘着剤が望ましい。
また、透明樹脂フィルムとしては、透明性を有する各種のプラスチック材料が挙げられる。例えば、ポリエチレンテレフタレート、ポリエチレンナフタレート等のポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、（メタ）アクリル系樹脂、ポリ塩化ビニル系樹脂、ポリ塩化ビニリデン系樹脂、ポリスチレン系樹脂、ポリビニルアルコール系樹脂、ポリアリレート系樹脂、ポリフェニレンサルファイド系樹脂等が挙げられる。
【０１０３】
また、本発明の色補正フィルタには、さらにその他の添加剤が含まれていてもよい。例えば、近赤外線吸収色素、紫外線吸収剤、帯電防止剤、酸化防止剤、分散剤、難燃剤、滑材、可塑剤等の添加剤が挙げられる。
【０１０４】
本発明の色補正フィルタは、白色ＬＥＤを光源とする照明装置に用いられる色補正フィルタとすることができる。
なお、白色ＬＥＤは、青色ＬＥＤと黄色蛍光体の組み合わせにより白色光を得る方式であることが望ましい。
本発明の色補正フィルタを上記照明装置に用いる場合、色補正フィルタの設置位置は、白色ＬＥＤ光源と視認者との間に配置されるものであれば特に限定されるものではない。例えば、電球型白色ＬＥＤ照明、直管型白色ＬＥＤ照明等の照明装置の最も外側にある筐体（ガラス、プラスチック等）の外側表面又は内側表面に塗布された上記色補正コーティング層であってもよく、上記筐体の外側表面又は内側表面に貼り付けられた上記色補正フィルムであってもよい。
なお、筐体とは光が出る部位であり、カバー、フード等とも呼ばれる。
また、筐体自身に第１の色材及び第２の色材が含まれている形態であってもよい。この場合、筐体の材質としては、例えば、ポリエチレンテレフタレート、トリアセチルセルロース、ポリカーボネート等の透明高分子成形体が挙げられる。
【０１０５】
本発明の色補正フィルタは、白色ＬＥＤを光源とするディスプレイ装置に用いられる色補正フィルタとすることができる。
なお、白色ＬＥＤは、青色ＬＥＤと黄色蛍光体の組み合わせにより白色光を得る方式であることが望ましい。
本発明の色補正フィルタを上記ディスプレイ装置に用いる場合、色補正フィルタの設置位置は、バックライトとしての白色ＬＥＤ光源と視認者との間に配置されるものであれば特に限定されるものではない。
例えば、ディスプレイ装置のガラス板、偏光板等に塗布された上記色補正コーティング層又は色補正粘着剤層であってもよく、ディスプレイ装置のガラス板、偏光板等の表面に貼り付けられた上記色補正フィルムであってもよい。
また、ディスプレイ装置内に設けられる板状の透明高分子成形体の表面に塗布された上記色補正コーティング層又は色補正粘着剤層であってもよく、上記透明高分子成形体の表面に貼り付けられた上記色補正フィルムであってもよい。また、板状の透明高分子成形体自身に第１の色材及び第２の色材が含まれている形態であってもよい。上記透明高分子成形体としては、ポリエチレンテレフタレート、トリアセチルセルロース、ポリカーボネート等が挙げられる。
色補正フィルタの位置は、ガラス板や透明高分子成形体の表裏のうち、白色ＬＥＤ光源側であってもよく、視認者側であってもよい。
【０１０６】
第１の色材及び第２の色材とバインダー樹脂とを混合して色補正コーティング層を設ける場合、第１の色材の配合量は、バインダー樹脂１００重量部に対して０．０１〜１０重量部であることが望ましく、第２の色材の配合量は、バインダー樹脂１００重量部に対して０．０１〜１０重量部であることが望ましい。
また、第１の色材及び第２の色材と粘着剤とを混合して色補正粘着剤層を設ける場合、第１の色材の配合量は、粘着剤１００重量部に対して０．０１〜１０重量部であることが望ましく、第２の色材の配合量は、粘着剤１００重量部に対して０．０１〜１０重量部であることが望ましい。
色補正コーティング層及び色補正粘着剤層を透明樹脂フィルム等（筐体、ガラス板、偏光板、透明高分子成形体等をも含む）に塗布する場合、第１の色材及び第２の色材とバインダー樹脂及び／又は粘着剤、並びに、必要に応じてその他の添加剤を含む組成物を溶剤に溶解及び／又は分散させて塗工液を調製し、スピンコート、スプレー、バーコート、フローコート、グラビアコート、ロールコート、ブレードコート、ダイコーター等の公知の塗布方法により塗工する方法を用いることができる。
【０１０７】
また、透明樹脂フィルムや透明高分子成形体中に第１の色材及び第２の色材が含まれている色補正フィルタを製造する場合、透明樹脂フィルムや透明高分子成形体の成形時に、樹脂中に第１の色材、第２の色材及び必要に応じてその他の添加剤を配合しておき、透明樹脂フィルムの成形及び透明高分子成形体の成形を行えばよい。
透明樹脂フィルムや透明高分子成形体中に第１の色材及び第２の色材が含まれている色補正フィルタを製造する場合、第１の色材の配合量は、樹脂１００重量部に対して０．０００１〜１重量部であることが望ましく、第２の色材の配合量は、樹脂１００重量部に対して０．０００１〜１重量部であることが望ましい。
【０１０８】
本発明の照明装置は、本発明の色補正フィルタを備えることを特徴とする。
照明装置としては、白色ＬＥＤを光源として用いる電球型照明、直管型照明、シーリングライト、スポットライト、ダウンライト、投光灯、街路灯、デスクライト等が挙げられる。
上述したように、照明装置において色補正フィルタの設置位置は、白色ＬＥＤ光源と視認者との間に配置されるものであれば特に限定されるものではない。
また、照明装置の白色の種類は特に限定されるものではなく、電球色（色温度２６００〜３２５０Ｋ）、温白色（色温度３２５０〜３８００Ｋ）、白色（色温度３８００〜４５００Ｋ）、昼白色（色温度４６００〜５５００Ｋ）、昼光色（色温度５７００〜７１００Ｋ）といった色の照明装置が使用される。
本発明の色補正フィルタは、昼白色又は昼光色の照明装置に使用されることが望ましい。
上記色温度の区分はＪＩＳ  Ｚ  ９１１２の基準に拠っている。
【０１０９】
本発明のディスプレイ装置は、本発明の色補正フィルタを備えることを特徴とする。
また、ディスプレイ装置としては、白色ＬＥＤを光源とする液晶表示装置（反射型、透過型等を含む）が挙げられる。上述したように、ディスプレイ装置において色補正フィルタの設置位置は、白色ＬＥＤ光源と視認者との間に配置されるものであれば特に限定されるものではない。
【実施例】
【０１１０】
以下に本発明をより具体的に説明する実施例を示すが、本発明はこれらの実施例に限定されるものではない。
【０１１１】
（１）色補正フィルタの製造
（製造例１）
バインダー樹脂としてのポリメチルメタクリレート（以下、ＰＭＭＡ）７．５ｇ、クロロベンゼン１５．３ｇ、トルエン６ｇ、酢酸エチル６．３ｇ及びアセトン５．５ｇを混合し、ＰＭＭＡ調製液を得た。この調製液１ｇをトルエン１ｇで希釈した溶液に、下記式（１−ａ）で示す第１の色材５ｍｇ、及び、下記式（２−ａ）で示す第２の色材１ｍｇを溶解させ、得られた溶液を無色透明のガラス板上にスピンコートし、乾燥して第１の色材及び第２の色材を含む色補正コーティング層としての色補正フィルタを製造した。この色補正フィルタ名を色補正フィルタ１とする。
なお、下記式（１−ａ）で示す第１の色材は、一般式（１）においてＺ１とＺ２、Ｚ３とＺ４、Ｚ５とＺ６及びＺ７とＺ８の２つの置換基のうち、いずれか一方の置換基がｔ−ブチル基であり、他方の置換基が２−フルオロフェニル基であり、ＭがＣｕであるテトラアザポルフィリン化合物である。
【化３５】
2014130250.tif 000037
【化３６】
2014130250.tif 000038
【０１１２】
（製造例２〜２４）
表１に示すように変更した第１の色材及び第２の色材を用いたほかは製造例１と同様にして色補正フィルタを製造した。これらの色補正フィルタのフィルタ名をそれぞれ色補正フィルタ２〜２４とした。
表１中、第１の色材における式（１−ｂ）〜（１−ｅ）、及び、第２の色材における式（２−ｂ）〜（２−ｊ）の構造を以下に示す。なお、第２の色材における式（３−ｃ）及び（３−ｅ）の構造は既に示したものと同じである。
なお、下記式（１−ｂ）で示す第１の色材は、一般式（１）においてＺ１とＺ２、Ｚ３とＺ４、Ｚ５とＺ６及びＺ７とＺ８の２つの置換基のうち、いずれか一方の置換基がｔ−ブチル基であり、他方の置換基が２−フルオロフェニル基であり、ＭがＰｄであるテトラアザポルフィリン化合物である。下記式（１−ｃ）で示す第１の色材は、一般式（１）においてＺ１とＺ２、Ｚ３とＺ４、Ｚ５とＺ６及びＺ７とＺ８の２つの置換基のうち、いずれか一方の置換基がｔ−ブチル基であり、他方の置換基が２，２，２−トリフルオロエトキシ基であり、ＭがＮｉであるテトラアザポルフィリン化合物である。下記式（１−ｄ）で示す第１の色材は、一般式（１）においてＺ１とＺ２、Ｚ３とＺ４、Ｚ５とＺ６及びＺ７とＺ８の２つの置換基のうち、いずれか一方の置換基がｔ−ブチル基であり、他方の置換基が２−フルオロフェニル基であり、ＭがＣｏであるテトラアザポルフィリン化合物である。下記式（１−ｅ）で示す第１の色材は、一般式（１）においてＺ１とＺ２、Ｚ３とＺ４、Ｚ５とＺ６及びＺ７とＺ８の２つの置換基のうち、いずれか一方の置換基がｔ−ブチル基であり、他方の置換基が２−フルオロフェニル基であり、ＭがＮｉであるテトラアザポルフィリン化合物である。
【化３７】
2014130250.tif 000039
【化３８】
2014130250.tif 000040
【化３９】
2014130250.tif 000041
【化４０】
2014130250.tif 000042
【化４１】
2014130250.tif 000043
【化４２】
2014130250.tif 000044
【化４３】
2014130250.tif 000045
【化４４】
2014130250.tif 000046
【化４５】
2014130250.tif 000047
【化４６】
2014130250.tif 000048
【化４７】
2014130250.tif 000049
【化４８】
2014130250.tif 000050
【化４９】
2014130250.tif 000051
【０１１３】
【表１】
2014130250.tif 000052
【０１１４】
表１中、フィルタ１には、Ｚ１の欄にｔ−Ｂｕ、Ｚ２の欄に２−フルオロフェニル基と示しているが、これは、Ｚ１とＺ２の２つの置換基のうち、いずれか一方の置換基がｔ−ブチル基であり、他方の置換基が２−フルオロフェニル基であることを省略して示している。
Ｚ３とＺ４、Ｚ５とＺ６及びＺ７とＺ８についても、いずれか一方の置換基がｔ−ブチル基であり、他方の置換基が２−フルオロフェニル基である。また、用いているテトラアザポルフィリン化合物は、Ｚ１とＺ２、Ｚ３とＺ４、Ｚ５とＺ６及びＺ７とＺ８の２つの置換基の位置関係が異なる４種類の異性体を任意の割合で含む混合物である。
他のフィルタについても同様である。
【０１１５】
（比較製造例１）
式（１−ａ）で示す第１の色材を用い、第２の色材を用いなかったほかは製造例１と同様にして色補正フィルタを製造した。この色補正フィルタ名を色補正フィルタ１’とした。
【０１１６】
（２）昼白色白色ＬＥＤ光源に対する評価
（実施例１〜１５）
色補正フィルタ１〜１４及び２３を使用して演色性評価を実施した。
評価には、昼白色白色ＬＥＤ電球（東芝ライテック株式会社製  ＬＤＡ７Ｎ／２）を使用し、白色ＬＥＤ電球から出射された光を色補正フィルタに透過させ、色補正フィルタを透過した光の演色評価数及び色温度を評価した。
演色評価数（Ｒａ、Ｒ９）はＪＩＳ  Ｚ  ８７２６の規格に準拠して評価した。
色温度は、ＪＩＳ  Ｚ  ８７２５の規格に準拠して評価した。
演色評価数、色温度の測定は、大塚電子製ＭＣＰＤ−９８００を用いて行った。
評価結果を表２に示した。
また、色補正フィルタ１〜１４及び２３の吸収極大波長を日本分光製分光光度計Ｖ−５７０により測定した結果を表２に示した。なお、吸収極大波長が２つ存在する場合、長波長側の吸収極大波長をλｍａｘ１、短波長側の吸収極大波長をλｍａｘ２とした。一方、吸収極大波長が１つ存在する場合には、その吸収極大波長をλｍａｘ１とした。
【０１１７】
【表２】
2014130250.tif 000053
【０１１８】
（比較例１）
実施例１〜１５と同じ昼白色白色ＬＥＤ電球を用いて、色補正フィルタを用いずに白色ＬＥＤ電球から出射された光の演色評価数及び色温度を評価した。評価結果を表２に示した。
【０１１９】
（比較例２）
色補正フィルタ１’を用いて、実施例１〜１５と同様にして昼白色白色ＬＥＤ電球に対する評価を行った。評価結果を表２に示した。
【０１２０】
図１には、実施例１及び比較例１において得られる昼白色白色ＬＥＤ光源からの分光スペクトルの比較を示した。また、図２には、実施例１４及び比較例１において得られる昼白色白色ＬＥＤ光源からの分光スペクトルの比較を示した。
図１及び図２において「フィルタなし」と示した結果が比較例１の結果である。これらの図から、色補正フィルタを用いることにより、５９０ｎｍ付近のオレンジ色を示す光、及び、４５０ｎｍ付近の青色を示す光がカットされていることがわかる。
【０１２１】
表２に示す比較例１と比較例２とを比較すると、昼白色白色ＬＥＤ電球から出射された白色光に対し、色補正フィルタ１’を用いることによって、Ｒａを高くすることができ、白色光の演色性を高めることができたことがわかる。
さらに、比較例２と実施例１〜４とを比較すると、色補正フィルタ１〜４を用いることによって、Ｒａを高い値に維持しつつ、色温度の上昇を抑制することができたことがわかる。
【０１２２】
（３）電球色白色ＬＥＤ光源に対する評価
（実施例１６〜３０）
色補正フィルタとしては色補正フィルタ１、３、６、１０、１１、１３、１５〜２２及び２４を用い、白色ＬＥＤ光源を電球色白色ＬＥＤ電球（東芝ライテック株式会社製  ＬＤＡ７Ｌ／２）に変更して色補正フィルタを透過した光の演色評価数及び色温度を評価した。
評価結果を表３に示した。
【０１２３】
【表３】
2014130250.tif 000054
【０１２４】
（比較例３）
実施例１６〜３０と同じ電球色白色ＬＥＤ電球を用いて、色補正フィルタを用いずに白色ＬＥＤ電球から出射された光の演色評価数及び色温度を評価した。評価結果を表３に示した。
【０１２５】
（比較例４）
色補正フィルタ１’を用いて、実施例１６〜３０と同様にして電球色白色ＬＥＤ電球に対する評価を行った。評価結果を表３に示した。
【０１２６】
表３に示す比較例３と比較例４とを比較すると、電球色白色ＬＥＤ電球から出射された白色光に対し、色補正フィルタ１’を用いることによって、Ｒａを高くすることができ、白色光の演色性を高めることができたことがわかる。
一方、比較例４と実施例１６〜１９とを比較すると、色補正フィルタ１、３、１５及び１６を用いても、Ｒａ及び色温度にそれほど変化がないことがわかる。
色温度にそれほど変化が見られないのは、電球色白色ＬＥＤ電球の色温度が最初から低いためであると推測される。
【０１２７】
以上より、本発明の色補正フィルタを用いることによって、白色光の演色性を高めつつ、色温度の変化を抑制することができると言える。
【図１】
2014130250.tif 000062
【図２】
2014130250.tif 000063